(57)【特許請求の範囲】
【請求項１】
既存の建物に於ける対峙した既存梁に架設する増設梁であって、
略同一軸に沿って互いに重なり部分をもって結合可能に構成された複数の梁構成部材からなり、前記梁構成部材は、既存梁に架設された床版の下面と接触するフランジとボルト穴が設けられたウエブとを有し、前記ボルト穴に挿通されたボルトを用いて他の梁構成部材と少なくとも長手方向に２点で結合され、
両端に配置される前記梁構成部材には、夫々既存梁に対向する端部に該既存梁に係止されるための係止部が設けられていることを特徴とする増設梁。
【請求項２】
前記梁構成部材のボルト穴は、前記建物のモジュール寸法に対応して予め設定されたピッチで長手方向に複数形成されていることを特徴とする請求項１に記載した増設梁。
【請求項３】
既存の建物に於ける対峙した既存梁に請求項１又は２に記載した２本の増設梁が互いに平行になるように架設し、該２本の増設梁を横座屈防止部材によって連結したことを特徴とする増設複合梁。
【請求項４】
既存の建物に於ける対峙した既存梁に敷設された軽量気泡コンクリート床パネルの支持面の一部に欠き込み部を形成し、請求項１又は２に記載した増設梁を構成する複数の梁構成部材の係止部を前記各欠き込み部分に挿入して該係止部を既存梁に係止し且つ複数の梁構成部材を互いに結合し全ての梁構成部材を一体化すると共に、前記増設梁にて前記軽量気泡コンクリート床パネルの下面を支持したことを特徴とする軽量気泡コンクリート床パネルの補強構造。
【請求項５】
請求項１又は２に記載した増設梁を２本平行に配置すると共に、該２本の増設梁を横座屈防止部材によって連結したことを特徴とする請求項４に記載した軽量気泡コンクリート床パネルの補強構造。
【請求項６】
両端部が既存の建物に於ける対峙した既存梁に敷設された後、開口部が設けられた軽量気泡コンクリート床パネルの補強方法であって、軽量気泡コンクリート床パネルの辺と平行に矩形に切り欠いて形成された床開口部を通して請求項１又は２に記載した増設梁を非結合状態で床下空間に挿入すると共に該床開口部の端縁のうち軽量気泡コンクリート床パネルのスパン方向に平行な２つの端縁の延長線上の軽量気泡コンクリート床パネルの支持面に欠き込み部を形成し、前記増設梁を構成する複数の梁構成部材の係止部を前記欠き込み部分に挿入して既存梁に係止すると共に複数の梁構成部材を互いに結合して一体化して前記床開口部の２つの端縁を支持し、更に前記床開口部の端縁のうち軽量気泡コンクリート床パネルのスパン方向に直交する２つの床開口部端縁に沿って横座屈防止部材を配置して前記２本の増設梁を連結すると共に前記床開口部の他の２つの端縁を支持したことを特徴とする軽量気泡コンクリート床パネルの補強方法。
【請求項７】
両端部が既存の建物に於ける対峙した既存梁に敷設された軽量気泡コンクリート床パネルによって構成された床を備え、該軽量気泡コンクリート床パネルの下方に天井裏空間が形成された建物に於ける前記軽量気泡コンクリート床パネルの補強方法であって、補強すべき位置に対応した天井面を切り欠いて開口部を形成し、前記開口部を通して請求項１又は２に記載した増設梁を非結合状態で天井裏空間に挿入すると共に前記軽量気泡コンクリート床パネルの支持面に欠き込み部を形成し、前記増設梁を構成する複数の梁構成部材の係止部を既存梁に係止すると共に複数の梁構成部材を互いに結合し一体化して前記軽量気泡コンクリート床パネルの下面を支持したことを特徴とする軽量気泡コンクリート床パネルの補強方法。
【発明の詳細な説明】
【技術分野】
【０００１】
本発明は、既存の建物に於ける対峙した既存梁に架け渡すことで床版を補強し得るようにした増設梁と、この増設梁を利用したＡＬＣ（軽量気泡コンクリート）床パネルの補強構造と、この増設梁を利用したＡＬＣ床パネルの補強方法とに関するものである。
【背景技術】
【０００２】
利用開始から長期間が経過した既存の建物では、建物や空間に対する要求が新築時の内容から変化してゆくのが一般的であり建物は、用途や求められる構造性能が、その耐用期間中に変化してゆくことがあり、また性能の維持や向上の為に点検や保守を行うことも必要となる。例えば、収納量を増やす為に床下収納を増設したり、新築当時は想定していなかった重量物を床面に載置したりすることや、床下空間を利用して建物の点検や補修を行う為に床に点検口を増設することなどが必要となることがある。
【０００３】
既存の建物に於いて、積載荷重を増加させたり、床に開口部を増設したりすることは、設計荷重に対し相対的に床版の強度，剛性を低下させることとなり、床版の補強や剛性の向上をはかることが必要となる。
【０００４】
床版が鉄筋やラス網で補強されたＡＬＣ床パネルからなる鉄骨造建物では、床下に水廻り設備の配管や電気配線等が配設されるなどして将来点検や補修が必要となる可能性が高い部位において、予め床に点検用の開口部を設ける為に、ＡＬＣ床パネルの補強用のフレーム材を架設した上で、開口部が形成されるようにＡＬＣ床パネルを敷設することが行われている（例えば特許文献１参照）。この場合、新築時に予め開口部を構成するとともに開口部まわりの分割されたＡＬＣ床パネルがフレーム材にて支持される。
【０００５】
また既設床版の強度，剛性の向上をはかるための技術として、例えば特許文献２に記載された技術がある。特許文献２には、梁や床スラブ等の既設水平部材の下部に補強梁を添設し、両端を柱等の既設垂直部材間に固定すると共に補強梁と既設水平部材との間に反力部材を介在させて該反力部材によって既設水平部材を押し上げるように構成した補強構造が記載されている。この補強構造では、反力部材によって既設水平部材を押し上げることで、該既設水平部材の負担する応力を低減することができる。
【０００６】
また特許文献３には、既設床の上面に繊維補強固化材を打設して新規表層を形成する既設床の改修工法が記載されている。この改修方法では、老朽化した床の強度，剛性の改善をはかることができる。
【０００７】
【特許文献１】特開２００３−２４７３３２号公報
【特許文献２】特開２００５−１８８２４３号公報
【特許文献３】特開２００２−０９７７９７号公報
【発明の開示】
【発明が解決しようとする課題】
【０００８】
しかし、特許文献１に係る技術は建物を新築する際に適用して効果が生じるものの、予めこのような構造を採用していない既存の建物においては既に敷設されているＡＬＣ床パネルを剥がした上でフレーム材を架設して開口部の形状に対応したＡＬＣ床パネルを敷設する必要があり、簡易に床開口部の増設や補強を行い得るものではないという問題がある。
【０００９】
また特許文献２に係る技術では、補強梁は既設垂直部材間のスパンと略等しい長さを有し、アンカーボルトを利用して既設垂直部材の側面に固定されるように構成されている。従って補強が必要な梁や床スラブの下方にそのスパンに等しい障害物のない空間を確保する必要があり、補強部位における天井材をスパン全長にわたって撤去しなければならないという問題があり、さらに長大な補強梁を搬入する為の搬入路を確保しなければならないという問題もある。
【００１０】
また特許文献３に係る技術では、既設床の上面に全面にわたって繊維補強固化材を打設することが必要となる。この技術を既存の住宅に於ける床版の補強に利用する場合、床版の上部に載置されている床下地材や床仕上材をはじめとしたあらゆる部材を撤去して繊維補強固化材を打設することが必要となり、大掛かりな工事とならざるを得ないという問題がある。
【００１１】
上記したように、各特許文献１〜３に記載された技術を既存の建物に於ける床版の強度，剛性の向上に利用するには多くの問題がある。特に建物の用途が住宅である場合、室内には間仕切壁、内部造作材、設備配管や配線などの障害物が多いため、床面の開口部の増設工事や床版の補強工事は極めて大掛かりなものとなる。その為居住者が生活を続けながら工事を行うことが困難で、工事中は居住者の為の仮住まいの確保が必要となる。
【００１２】
本発明の目的は、既存の建物に必要最小限の手を加えることで床版を補強することができる増設梁と、この増設梁を利用した増設複合梁、補強構造、補強方法を提供することにある。
【課題を解決するための手段】
【００１３】
上記課題を解決するために本発明に係る増設梁は、既存の建物に於ける対峙した既存梁に架設する増設梁であって、略同一軸に沿って互いに重なり部分をもって結合可能に構成された複数の梁構成部材からなり、前記梁構成部材は、既存梁に架設された床版の下面と接触するフランジとボルト穴が設けられたウエブとを有し、前記ボルト穴に挿通されたボルトを用いて他の梁構成部材と少なくとも長手方向に２点で結合され、両端に配置される前記梁構成部材には、夫々既存梁に対向する端部に該既存梁に係止されるための係止部が設けられているものである。
【００１４】
上記増設梁に於いて、前記梁構成部材のボルト穴は、前記建物のモジュール寸法に対応して予め設定されたピッチで長手方向に複数形成されていることが好ましい。
【００１５】
また本発明に係る増設複合梁は、既存の建物に於ける対峙した既存梁に上記何れかの２本の増設梁が互いに平行になるように架設し、該２本の増設梁を横座屈防止部材によって連結したものである。
【００１６】
また本発明に係るＡＬＣ床パネルの補強構造は、既存の建物に於ける対峙した既存梁に敷設されたＡＬＣ床パネルの支持面の一部に欠き込み部を形成し、上記増設梁を構成する複数の梁構成部材の係止部を前記各欠き込み部分に挿入して該係止部を既存梁に係止し且つ複数の梁構成部材を互いに結合し全ての梁構成部材を一体化すると共に、前記増設梁にて前記ＡＬＣ床パネルの下面を支持したものである。
【００１７】
また上記ＡＬＣ床パネルの補強構造に於いて、上記増設梁を２本平行に配置すると共に、該２本の増設梁を横座屈防止部材によって連結することが好ましい。
【００１８】
また本発明に係るＡＬＣ床パネルの補強方法は、両端部が既存の建物に於ける対峙した既存梁に敷設された後、開口部が設けられたＡＬＣ床パネルの補強方法であって、ＡＬＣ床パネルの辺と平行に矩形に切り欠いて形成された床開口部を通して上記増設梁を非結合状態で床下空間に挿入すると共に該床開口部の端縁のうちＡＬＣ床パネルのスパン方向に平行な２つの端縁の延長線上のＡＬＣ床パネルの支持面に欠き込み部を形成し、前記増設梁を構成する複数の梁構成部材の係止部を前記欠き込み部分に挿入して既存梁に係止すると共に複数の梁構成部材を互いに結合して一体化して前記床開口部の２つの端縁を支持し、更に前記床開口部の端縁のうちＡＬＣ床パネルのスパン方向に直交する２つの床開口部端縁に沿って横座屈防止部材を配置して前記２本の増設梁を連結すると共に前記床開口部の他の２つの端縁を支持したことを特徴とするものである。
【００１９】
また本発明に係る他のＡＬＣ床パネルの補強方法は、両端部が既存の建物に於ける対峙した既存梁に敷設されたＡＬＣ床パネルによって構成された床を備え、該ＡＬＣ床パネルの下方に天井裏空間が形成された建物に於ける前記ＡＬＣ床パネルの補強方法であって、補強すべき位置に対応した天井面を切り欠いて開口部を形成し、前記開口部を通して上記増設梁を非結合状態で天井裏空間に挿入すると共に前記ＡＬＣ床パネルの支持面に欠き込み部を形成し、前記増設梁を構成する複数の梁構成部材の係止部を既存梁に係止すると共に複数の梁構成部材を互いに結合し一体化してパネルの前記ＡＬＣ床パネルの下面を支持したことを特徴とするものである。
【発明の効果】
【００２０】
本発明の増設梁は、略同一軸に沿って互いに重なり部分をもって結合可能に構成された複数の梁構成部材からなり、長手方向の両端に位置する梁構成部材には既存梁に係止される係止部が設けられ、且つ他の梁構成部材と結合するための結合手段が設けられている。このため、増設梁は梁構成部材の重なり代を調整することによって様々な間隔の既存梁に対応することができる。そして、両端を既存梁に係止すると共に係止した状態で隣接した梁構成部材どうしを結合し一体化することで、増設梁に対して床版の補強梁として必要な強度，剛性を持たせることができる。
【００２１】
従って、床下空間に梁を搬入する為の搬入路が充分に確保しにくい既存の建物であっても、結合されていない梁構成部材を搬入することができる程度の開口を形成することによって、該開口を通して床下空間に増設梁を搬入し、設置すべき位置に配置し、既存梁に係止して床版を補強することができる。
【００２２】
上記増設梁に於いて、梁構成部材を、床又は天井を構成する部材の下面と接触するフランジと、他の梁構成部材と少なくとも長手方向に２点で結合し得るように結合手段としてのボルト穴を設けたウエブと、によって構成しているので、フランジによって床又は天井の下面を支持するとともに梁構成部材の剛性を向上することができ、ウエブに形成されたボルト穴を利用して長手方向の２点以上で梁構成部材を結合して結合部の剛性を確保することができる。
【００２３】
また本発明の増設複合梁は、既存梁に２本の増設梁を平行に配置し、これらの増設梁を横座屈防止部材によって連結することによって、増設梁の横座屈を防止して許容曲げ応力を大きくすることができるので、同一条件のもとで梁背をより小さくすることができ、狭小な床下空間での施工が容易になる。
【００２４】
また本発明のＡＬＣ床パネルの補強構造では、既存梁に架設されたＡＬＣ床パネルの支持された面の一部に欠き込み部を形成し、この欠き込み部に増設梁の係止部を挿入することで該増設梁を既存梁に係止し、更に、梁構成部材を互いに結合し一体化することで、ＡＬＣ床パネルの下面を支持して補強することができる。特に、ＡＬＣ床パネルは加工が容易なため、鉄筋コンクリートや鉄骨で構成された既存梁を傷めることなくＡＬＣ床パネルのみを容易に欠き込むことができ、簡単な作業で補強を実現することができる。
【００２５】
また上記ＡＬＣ床パネルの補強構造に於いて、２本の増設梁を既存梁に係止すると共に、これらの増設梁を横座屈防止部材によって連結することで、増設梁の横座屈を防止してＡＬＣ床パネルを補強することができる。
【００２６】
また本発明のＡＬＣ床パネルの補強方法である開口部の設けられたＡＬＣ床パネルの補強方法では、ＡＬＣ床パネルを切り欠いて形成した開口部を通して非結合状態の増設梁を床下に挿入すると共に、ＡＬＣ床パネルの支持面を欠き込んで梁構成部材の係止部を挿入して既存梁に係止し、梁構成部材どうしを結合して一体化した増設梁を２本配置し、さらに増設梁どうしを連結する横座屈防止部材を２本配置して、これらの増設梁及び横座屈防止部材にてＡＬＣ床パネルを支持することで、既存の床パネルを撤去することなく開口部の設けられたＡＬＣ床パネルを補強することができる。
【００２７】
また本発明の他のＡＬＣ床パネルの補強方法である下方に天井裏空間を有するＡＬＣ床パネルの補強方法では、天井部材を切り欠いて形成した開口部を通して非結合状態の梁構成部材を床下に挿入すると共に、パネルの既存梁に対する載置部分を欠き込んで梁構成部材の係止部を挿入して既存梁に係止し、天井裏空間内で増設梁の梁構成部材どうしを結合し一体化して増設梁を構成することで必要最小限の大きさの天井材の加工でＡＬＣ床パネルを補強することができる。
【発明を実施するための最良の形態】
【００２８】
以下、本発明の増設梁、増設複合梁、ＡＬＣ床パネルの補強構造、及びＡＬＣ床パネルの補強方法を実施するための最良の形態について説明する。
【００２９】
本発明の増設梁は、既存の建物に於いて対峙して配置された既存梁に係止されると共に一体化することで強度と剛性を発揮し得るように構成されている。そして、既存の建物の床に床下点検口等の開口部を構成したり、床に対する積載荷重を増加させるような改造を行う場合、簡単な工事で、改造に伴って相対的に強度、剛性が低下する床を補強するものである。特に、床或いは天井に比較的小さい寸法の開口部を形成して増設梁を床下に挿入し得るようにすることで、床版を取り外すことなく、目的の床を補強する工事を行えるようにしたものである。
【００３０】
本発明に於いて、床版の構造や材質は特に限定するものではなく、木材を利用して構成したもの、コンクリートスラブによって構成したもの、ＡＬＣパネルやＰＣ（プレキャストコンクリート）パネルを敷き込んで構成したもの、等の何れの構造であっても対応することが可能である。
【００３１】
本発明の増設梁は、同一の軸に沿って互いに重なりをもって結合可能に構成された複数の梁構成部材によって構成されており、長手方向の両端に配置される梁構成部材の既存梁に対向する端部には該既存梁に係止される係止部が設けられ、更に、夫々の梁構成部材には隣接する他の梁構成部材と結合するための結合手段が設けられている。
【００３２】
梁構成部材を構成する材料は限定するものではなく、木材や金属材を利用することが可能である。しかし、軽量で且つ小さい断面積で効果的に床の補強を行うためには、金属材、特に、鋼材であることが好ましい。このような鋼材としては、重量形鋼や軽量形鋼等の鋼材があるが、特に鋼板を折曲成形した鋼材が好ましい。
【００３３】
複数の梁構成部材は略同一軸に沿って互いに重なり部分をもって結合し得るように構成されている。複数の梁構成部材が結合する構造は特に限定するものではなく、例えば、各梁構成部材に軸に沿ってボルト穴を形成し、複数の梁構成部材をボルト穴を一致させて並列させると共にボルトを含む軸状部材を挿通して結合し得るようにしておくことで、軸状部材とボルト穴との協働によって複数の梁構成部材を同一軸に沿って結合することが可能である。尚、ボルト穴としては長穴を含む軸方向への結合位置の調整が可能な形状であることが好ましい。
【００３４】
また各梁構成部材を断面を相似形として、寸法がスパンの中央に向かって順に小さくなるように構成したり、大きな寸法のものと小さな寸法のものを交互に配置して、寸法の大きい梁構成部材に寸法の小さい梁構成部材を嵌め込むようにすることで、複数の梁構成部材を略同一軸に沿って結合することが可能である。
【００３５】
上記の場合、各梁構成部材の断面形状は、Ｌ字状の山型やコ字状の溝型のように、水平方向の一方が完全に開放され、重なり部分に於いて梁構成部材が水平方向及び開放方向に着脱可能なもの、即ち、水平方向の動きに制約を受けないものと、Ｃ字状のリップ溝型や四角形の鋼管のように重なり部分に於ける長手方向以外の方向への離脱が不可能なものと、が考えられる。
【００３６】
前者の場合は、各梁構成部材を分離した状態で補強が必要な部位に搬入し、重なり部分どうしを横方向から近接させて結合することができる。また、バンド等で搬入時のばらつきの防止措置が取られていれば、各梁構成部材を予め所定の順序に嵌め込み、縮小した状態で補強が必要な部位に搬入し、縮小状態の梁構成部材を摺動して所定の長さに延伸した上で結合することができる。
【００３７】
また後者の場合は、各梁構成部材を予め所定の順序に嵌め込み、縮小した状態で補強が必要な部位に搬入し、縮小状態の梁構成部材を摺動して所定の長さに延伸したうえで結合する、という方法のみを採用することができる。
【００３８】
複数の梁構成部材を略同一軸に沿って摺動可能に構成した増設梁では、複数の梁構成部材の互いの重なり代を調整することで増設梁の全長を調整して既存梁のスパンに対応するように構成されている。また、増設梁を構成する梁構成部材の数を増減させることでも増設梁の全長を調整することが可能である。
【００３９】
梁構成部材の長さや数は特に限定するものではなく、既存の建物に於ける対峙して配置された既存梁の間隔寸法や、床や天井に形成される開口部の寸法、床下空間或いは天井裏空間の高さ、等の寸法を考慮して設定することが好ましい。特に、既存の建物が工業化住宅である場合は、既存梁の間隔寸法や、床下空間の高さ，天井裏空間の高さがモジュール化あるいは規格化されている為、梁構成部材を規格化して少ない品種で多くのパターンに対応させることが可能である。
【００４０】
増設梁を既存梁に係止するための係止部の構造は特に限定するものではなく、既存梁の形状や構造、及び床版の材質等の条件に応じて適宜設定することが好ましい。例えば、既存梁がＨ形鋼である場合、係止部としてはＨ形鋼のフランジに引っ掛かるように係止される係止片を有する形状であることが好ましい。また既存梁が角形鋼管や木材である場合、係止部としては角形鋼管や木材の上面に引っ掛かるように係止される係止片を有する係止部であって良く、また角形鋼管や木材の側面にねじ止めされて係止される係止片を有する係止部であっても良い。
【００４１】
特に、床版がＡＬＣパネルのように容易に加工し得るような材料によって構成されている場合、該床版の既存梁に載置されている部分に欠き込みを加工することは簡単であるため、係止片を挿入するための空間を容易に形成することが可能である。このため、床版が加工性の良い材料によって構成されたものである場合には、係止部は既存梁の上面に引っ掛かる係止片を有することが好ましい。
【００４２】
増設梁を構成する梁構成部材を互いに結合し一体化するための結合手段は、構造を特に限定するものではなく、隣接する梁構成部材どうしを強固に一体化し力の伝達を円滑に行い得るものであれば良い。このような機能を発揮し得るものとしてボルト，ナットがあり、このボルト，ナットの組み合わせであれば、予め穿たれたボルト穴に挿通し締め込むだけで結合が可能で、既存建物の床下や天井裏などの狭小な空間においても作業がしやすく、過大な装置や火気も不要のため好ましい。
【００４３】
増設梁を構成する梁構成部材としては、床版の下面と接触するフランジと結合手段としてのボルトを挿通するボルト穴を設けたウエブとを有し、隣接する梁支持構成部材どうしは、互いに断面形状が相似形で、一方の梁構成部材の外寸法を他方の梁構成部材の内寸法よりも僅かに小さく構成することが好ましい。このように構成することによって重なり部分での上下方向の遊びが小さくなって非結合状態であってもある程度安定するので作業中梁構成部材を保持し続ける必要がなく、ボルト穴の位置合わせも容易である為、結合作業が容易になる。
【００４４】
隣接する梁構成部材どうしを結合する場合、少なくとも長手方向に所定の間隔を有する２本のボルトで結合することが好ましく、特に、長手方向に所定の間隔を有する２本のボルトを上下方向に２列配列した４本のボルトで結合することが好ましい。例えば１本のボルトを用いた場合では、一体化すべき２つの梁構成部材がこのボルトを支点として屈折してしまい、増設梁による床版支持を十分に行えなくなる虞がある。またボルトの数が多くなると作業が煩雑となって作業時間が延びてしまう虞がある。従って、２本〜４本のボルトによって隣接する梁構成部材を結合することで、増設梁による床版の補強を確実に行うことが可能であり、作業の煩雑さによる悪影響が生じることもない。
【００４５】
上記の如くして隣接する梁構成部材どうしを結合して一体化した増設梁によって床版の下面を支持する場合、増設梁を構成する梁支持構成部材が床版の下面の全面にわたって接触することはなく、他の梁構成部材に内包される梁構成部材と床版との間には隙間が生じることとなる。この場合、平板状の或いはＬ字状のライナープレートを用意しておき、他の梁構成部材に内包される梁構成部材の上面に前記ライナープレートを配置することで、該ライナープレートを介して荷重の伝達が行い得るように構成することが好ましい。
【００４６】
ウエブに設けるボルト穴の位置や数は予め設定しておくことが好ましい。増設梁の汎用性をはかるためには、予め対峙する既存梁の間隔寸法のパターンを想定し、想定した事例に対応し得るようにしておくことが好ましい。例えば、増設梁の両端部分を既存梁の上面に引っ掛けて係止されるものである場合、対峙する既存梁の間隔は該既存梁の内法寸法となるので、建物に設定されたモジュール寸法に対応した既存梁の芯−芯の間隔のパターンと、既存梁の幅のパターンとの組み合わせによって生じる増設梁の長さのパターンに対応し得るようにボルト穴の位置や数を設定しておくことが好ましい。
【００４７】
増設梁を対峙する既存梁に架設して床版を支持したとき、該増設梁には曲げ応力が作用するため、増設梁には横座屈が発生して変形する虞がある。このため、本発明の増設複合梁では、既存梁に２本の増設梁が互いに平行になるように架設し、この２本の増設梁を横座屈防止部材によって連結することで、横座屈の発生を防止している。
【００４８】
横座屈防止部材の形状や寸法は特に限定するものではなく、２本の増設梁を連結してこれらの増設梁に作用する横座屈に対抗し得るような形状や寸法に設定されることが好ましい。例えば、予め２本の増設梁の設置間隔を一定の寸法とすることで、一定の長さを持った鋼材の両端に増設梁のウエブに取り付けられる取付片を溶接或いは鋼材の両端を折り曲げて構成しておくことで横座屈防止部材を構成することが可能である。
【００４９】
また、横座屈防止部材は、現場作業により設置位置にばらつきが生じやすい２本の増設梁の位置を矯正するという機能をも有している。例えば、一方の増設梁を所定の位置に正確に設置し、横座屈防止部材で他方の増設梁と連結することによって他方の増設梁を自動的に所定の位置に配置することができる。
【００５０】
なお、２本の増設梁の位置を厳密に設定する必要がない場合には、横座屈防止部材を複数の部材に分割し、それらの重なり部分に長穴形状のボルト穴を形成し、２本の増設梁の離間距離に応じて重なり代を調節してボルト固定することで、ずれを吸収することも可能である。
【００５１】
また横座屈防止部材の本数も特に限定するものではなく、増設梁の中央を１本の横座屈防止部材によって連結することで、増設梁の横座屈を防止することが可能である。また増設梁の長さが長い場合、２本又はそれ以上の数の横座屈防止部材を用いることも可能である。
【００５２】
床版がＡＬＣパネルである場合、該ＡＬＣパネルが加工性に優れるため、ドリル等を用いて既存梁に載置されている面の一部を切削加工して増設梁に設けた係止部を差し込むための欠き込みを形成することが可能である。この欠き込み部分の加工精度は厳密なものではなく、単に係止部を差し込んで既存梁の上面に係止させることが可能であれば良い。従って、片手で操作し得る電気ドリルを用いることで、既存梁のフランジに損傷を与えることなくＡＬＣパネルに欠き込みを形成することが可能である。
【実施例１】
【００５３】
次に、増設梁の構成について図を用いて説明する。図１は第１実施例に係る増設梁Ａの構成を説明する図である。
【００５４】
図に於いて、増設梁Ａは、複数の梁構成部材１、２を有しており、該増設梁Ａの長手方向の両端に配置される梁構成部材１、２の既存梁３と対向する端部に係止部４が設けられ、且つ隣接する他の梁構成部材との一体化手段となるボルト穴５が設けられている。
【００５５】
各梁構成部材１、２は、床又は屋根を構成する部材を補強する増設梁として必要な強度を剛性を発揮し得る寸法に設定されると共に夫々断面形状がコ字状の溝形鋼として構成されており、夫々上フランジ１ａ、２ａ、下フランジ２ｂ、２ｂ、ウエブ１ｃ、２ｃを有している。梁構成部材１に於ける上下フランジ１ａ、１ｂの内法寸法と、梁構成部材２に於ける上下フランジ２ａ、２ｂの外形寸法は略等しいか、該外形寸法の方が僅かに小さい値を持って構成されている。また各フランジ１ａ、１ｂ、２ａ、２ｂの幅寸法は互いに等しい値に設定されている。従って、梁構成部材１、２は断面形状が互いに相似形に構成されている。
【００５６】
梁構成部材２は梁構成部材１のフランジ１ａ、１ｂの間に装着されたとき、該フランジ１ａ、１ｂ及びウエブ１ｃに包まれるようにして結合することが可能である。このように梁構成部材２及び梁構成部材１を互いに結合するに際し、互いの結合面が各フランジ１ａ、２ａとなることから、摺動する際の軸１ｄ、２ｄは各フランジ１ａ、１ｂ及び２ａ、２ｂの中心となり、図１（ａ）の正面図では両構成部材１、２の軸１ｄ、２ｄは重なることになる。しかし、梁構成部材１と梁構成部材２とではウエブ１ｃ、２ｃが分重なることから、同図（ｂ）に示すように、略ウエブ１ｃ、２ｃの厚み分もしくは厚みより僅かに大きい値だけ平面的にズレることになる。
【００５７】
本発明では、上記の如き増設梁の構造を持って、複数の梁構成部材が略同一軸に沿って結合可能に構成されるということとする。しかし、複数の梁構成部材が鋼管やリップ溝形鋼のような形鋼を利用して構成されている場合、各梁構成部材は同一軸に沿って結合し得るように構成されることとなる。
【００５８】
本実施例に於いて、梁構成部材１の上下フランジ１ａ、１ｂ間の外形寸法は、梁構成部材２の上下フランジ２ａ、２ｂ間の外形寸法よりも大きい。このため、増設梁Ａを既存梁３に架け渡したとき、梁構成部材１の上フランジ１ａがＡＬＣからなる床パネル６の下面６ａと直接接触して支持する梁構成部材としての機能を有し、梁構成部材２は床パネル６の下面６ａとの隙間に挿入されるライナープレートを介して間接的に接触して梁構成部材としての機能を発揮するものである。
【００５９】
本実施例に於いて、既存梁３は上フランジ３ａ、ウエブ３ｂ及び下フランジを有するＨ形鋼によって構成されている。
【００６０】
梁構成部材１、２の端部には係止部４が形成されており、既存梁３の上フランジ３ａに載置されて係止されるように構成されている。このため、係止部４は、上フランジ３ａに載置される係止片４ａと、梁構成部材１、２の端部に固定される固定片４ｂと、を有するＬ型の鋼材によって構成されている。そして固定片４ｂを増設梁Ａの端部に配置される梁構成部材となる梁構成部材１、２の端部に例えば溶接等の手段で固定することで、夫々取り付けられている。梁構成部材１、２の端部に形成された係止部４は、各係止片４ａの下側の面４ｃが既存梁３の上フランジ３ａに載置される面となる。
【００６１】
梁構成部材１に形成された係止部４は面４ｃが上フランジ１ａの上面と同一面に配置されており、梁構成部材２に形成された係止部４は面４ｃが上フランジ２ａの上面よりも梁構成部材１の上フランジ１ａの板厚分高くなる位置に配置されている。即ち、係止部４の面４ｃは、増設梁Ａを構成する梁構成部材の数に関わらず、同一レベルに配置され、梁構成部材を水平に保持する。
【００６２】
ボルト穴５は円形又は長穴等の穴によって構成されており、各梁構成部材１、２のウエブ１ｃ、２ｃに対し軸１ｄ、２ｄを中心として上下に振り分けた位置に予め設定されたピッチで複数形成されている。前述したように、ボルト穴５の位置は対称となる既存の住宅に於けるモジュール寸法や既存梁の幅寸法のバリエーションに対応して設定されており、一義的に設定されるものではない。
【実施例２】
【００６３】
次に、増設梁の他の実施例について説明する。図２は増設梁の他の実施例を説明する図である。図３は増設梁の更に他の実施例を説明する図である。尚、図に於いて前述の実施例と同一の部分及び同一の機能を有する部分には同一の符号を付して説明を省略する。
【００６４】
図２（ａ）に示す増設梁は、床パネルを上フランジで直接支持し得る梁構成部材１、９、１０と、床パネルをライナープレートを介して上フランジで間接的に支持し得る梁構成部材８と、を有しており、各梁構成部材１、８、９、８、１０が交互に配置されて構成されている。
【００６５】
また同図（ｂ）に示す増設梁は、床パネルをフランジで直接支持し得る梁構成部材１、１０と、床パネルをライナープレートを介してフランジで間接的に支持し得る梁構成部材８と、を有しており、各梁構成部材１、８、１０の順で配置されて構成されている。
【００６６】
梁構成部材８〜１０は、夫々上フランジ８ａ〜１０ａ、下フランジ８ｂ〜１０ｂ、ウエブ８ｃ〜１０ｃを有する断面がコ字状の鋼材によって構成されており、梁構成部材１、８の寸法関係は、前述した梁構成部材１、２と同様の関係を持って構成されている。また各ウエブ８ｃ〜１０ｃには隣接する他の梁構成部材と結合し一体化をはかるためのボルト穴５が形成されている。
【００６７】
上記各増設梁に於いて、梁構成部材１、１０は何れも端部に係止部４が形成されており、既存住宅に於ける対峙した既存梁３に係止されるものである。従って、梁構成部材１、１０は互いに勝手違いに構成されており、図示しない既存梁に対し係止部４を係止することで架け渡すことが可能なように構成されている。そして、梁構成部材１、１０を既存梁に架け渡した後、ウエブ１ｃ、８ｃ〜１０ｃに形成されたボルト穴５を利用して隣接する他の梁構成部材と結合し一体化をはかり得るように構成されている。
【００６８】
尚、作業中に梁構成部材がばらつかないように重なり部分はバンド等で軸に沿った方向以外の方向への移動が拘束されている。
【００６９】
上記の如く構成された各増設梁では、前述の増設梁Ａと同様に複数の梁構成部材１、８、９、１０を略同一軸に沿って摺動させることで延伸させ、梁構成部材１、１０を既存梁に係止させると共に隣接する他の梁構成部材と結合し一体化をはかることで増設梁を構成することが可能である。特に、梁構成部材１、９、１０が床パネルの下面と接触して断続的に支持し得るように構成されるため、梁構成部材８の上フランジと床パネルとの間にライナープレートを挿入しなくとも安定した支持を実現することが可能となる。
【００７０】
尚、梁構成部材１、９、１０の離間寸法に応じて適宜梁構成部材８の上フランジと床パネルとの間にライナープレートを挿入して接触面積を増大させ安定度を向上させることも当然可能である。
【００７１】
次に、図３に示す増設梁Ｂは、断面がコ字状に構成された複数の梁構成部材１、８、１０、１１ａ〜１１ｃを有して構成されており、梁構成部材１１ａ〜１１ｃはフランジ間の外形寸法が順に板厚に応じた所定寸法小さくなるように構成されている。即ち、梁構成部材１１ａ〜１１ｃは、梁構成部材１、２の関係と同様な関係を持って構成されている。従って、梁構成部材８、１１ａ〜１１ｃは上フランジの高さがフランジの厚さ分だけ順に低くなるように構成されている。
【００７２】
上記の如く構成された増設梁Ｂでは、同図（ａ）〜（ｅ）に示すように伸縮することが可能であり、既存梁のスパンの変化への対応力が大きい。即ち、高い汎用性を持った増設梁Ｂとして利用することが可能である。尚、この増設梁Ｂでは、床パネルの下面と直接接触し床パネルを支持し得るのは梁構成部材１、１０のみである。このため、例えば同図（ａ）〜（ｃ）に示すように増設梁Ｂの長さが長くなるのに従って床パネルの下面と接触することのない梁構成部材が増えることとなる。
【００７３】
この場合も前記増設梁Ａと同様に、梁構成部材８、１１ａ〜１１ｃの上フランジの上面から梁構成部材１、１０の上フランジ１ａ、１０ａの上面までの差に応じた厚さを持ったライナープレートを用意しておき、上記増設梁Ｂを図示しない既存梁に架け渡した後に、床パネルと梁構成部材８、１１ａ〜１１ｃの上フランジとの隙間の全て或いは一部に前記隙間に対応する厚さを持ったライナープレートを挿入して梁構成部材８、１１ａ〜１１ｃでも床パネルを支持することができる。
【実施例３】
【００７４】
次に、既存建物に於ける対峙した既存梁に増設梁を架け渡してＡＬＣ床パネルを補強する際の手順について説明し、同時に補強構造の例について説明する。図４は床パネルに欠き込み部を形成して増設梁を架け渡す手順を模式的に説明する図である。図５は床パネルを補強する補強構造について説明する正面図である。図６は図５の側面図である。
【００７５】
図４に示すように、対峙したＨ型鋼からなる既存梁３の上フランジ３ａに床パネル６の両端部分が載置されている。また、床パネル６はＡＬＣパネルによって構成されている。
【００７６】
先ず、床パネル６の下面６ａに於ける既存梁３の上フランジ３ａに載置されている部分に増設梁Ａの係止部４を挿入する欠き込み部６ｂを形成する。欠き込み部６ｂの形成方法は特に限定するものではなく、のみのようなはつり工具を利用して形成することが可能であり、また電気ドリル１３に取り付けたきり１３ａによって切削することで形成することも可能である。床パネル６はＡＬＣパネルによって構成されているので、該床パネル６の加工が容易であり、きり１３ａを利用した場合でも短時間で欠き込み部６ｂを形成することが可能である。また、ＡＬＣパネルからなる床パネル６を支持する既存梁３は一般に図４のような鉄骨梁あるいはＲＣ造の基礎梁であり、ＡＬＣに比べ硬度が非常に大きい。従って床パネル６の欠き込み作業中に誤って既存梁３をも欠き込んでしまう可能性は極めて低く、安心して作業を行うことができる。尚、欠き込み部６ｂは、増設梁Ａの両端部分に設けた係止部４の係止片４ａを挿入して既存梁３の上フランジ３ａに引っ掛けることが可能な大きさであれば良い。
【００７７】
次に、床パネル６の下部に構成された床下空間、或いは天井裏空間に増設梁Ａを搬入する。このとき、増設梁Ａを構成する梁構成部材１、２は各梁構成部材１、２を個別に搬入しても良い。また、搬入路あるいは床や天井の開口部の大きさによっては各フランジ１ａ、１ｂ、２ａ、２ｂ、ウエブ１ｃ、２ｃどうしを互いに重ねて収縮状態として搬入した後、増設梁Ａの各梁構成部材１、２を軸１ｄ、２ｄに沿って摺動させて両端に配置された梁構成部材１、２を夫々既存梁３に対向させる。
【００７８】
次いで何れか一方の梁構成部材例えば梁構成部材１の端部に設けた係止部４の係止片４ａを欠き込み部６ｂに挿入すると共に、他方の梁構成部材例えば梁構成部材２の端部に設けた係止部４の係止片４ａを欠き込み部６ｂに挿入する。例えば、各梁構成部材１、２を別個に搬入した場合には、夫々の梁構成部材１、２の係止部４を欠き込み部６ｂに挿入した後、各フランジ及びウエブを重ねるようにして組み合わせる。また各梁構成部材１、２を互いに重ねて収縮状態として搬入した場合には、各梁構成部材１、２を軸１ｄ、２ｄに沿って摺動させて延伸しつつ夫々の梁構成部材１、２の係止部４を欠き込み部６ｂに挿入する。
【００７９】
次いで、各梁構成部材１、２を対向する既存梁３の方向に押し込んで係止片４ａを十分に上フランジ３ａに係合させ、図５に示すように、各ウエブ１ｃ、２ｃに形成されたボルト穴５の中から選択した４個のボルト穴５にボルト１５ａを挿通してナット１５ｂを締結することで結合し一体化することにより、増設梁Ａを構成することが可能である。
【００８０】
上記の如く構成された増設梁Ａでは、梁構成部材１の上フランジ１ａが床パネル６の下面６ａと接触して支持するものの、梁構成部材２の上フランジ２ａは床パネル６の下面６ａと接触することがなく隙間が生じる。このため、梁構成部材２の上フランジ２ａに、梁構成部材１の上フランジ１ａの厚さ（梁構成部材２の上フランジ２ａの厚さと等しい）と等しい厚さを持ったライナープレート１６を挿入して下面６ａとの間に生じている隙間を埋めることで、該ライナープレート１６を介して梁構成部材２の上フランジ２ａを間接的に床パネル６の下面６ａに接触させ床パネル６を支持することが可能である。
【００８１】
増設梁Ａに配置すべきライナープレート１６の数は限定されるものではなく、梁構成部材２の長さ（床パネル６の下面６ａに対する非接触部分の長さ）や想定される積載荷重に応じて適宜数を設定することが好ましい。
【００８２】
ライナープレート１６は単に平板状であっても良いが、外部からの振動を受けた場合でも落下することがないように、梁構成部材２のウエブ２ｃに設けたボルト穴５を利用して該梁構成部材２に固定し得るように構成することが好ましい。このため、本実施例では、ライナープレート１６をＬ字状に構成し、Ｌ字の一片をライナー片１６ａとし、他片をウエブ２ｃに添わせた固定片１６ｂとして構成している。
【００８３】
上記の如くして増設梁Ａを構成し、床パネル６の下面６ａと梁構成部材２の上フランジ２ａとの間に構成された隙間にライナープレート１６を挟み込むことで、床パネル６の下面を確実に支持して床の強度、剛性を向上させることが可能である。即ち、１本の増設梁ＡによってＡＬＣパネルからなる床パネル６を補強することが可能である。
【００８４】
次に、図５、図６を用いて増設梁Ａの座屈を防止し得るように構成した増設複合梁の構成と、この増設複合梁を利用したＡＬＣパネルの補強構造について説明する。
【００８５】
図５、図６に示すように、２本の増設梁Ａを平行に且つ各梁構成部材１、２のウエブ１ｃ、２ｃが互いに対向し得るように配置して夫々対峙する既存梁３に架け渡し、これらの増設梁Ａを横座屈を防止する横座屈防止部材１７によって連結することで、各増設梁Ａに作用する曲げ応力によって生じる虞のある横座屈を防止することが可能である。
【００８６】
横座屈防止部材１７は、夫々の増設梁Ａを構成する梁構成部材１、２のウエブ１ｃ、２ｃに固定される固定片１７ａと、該固定片１７ａから略直角に起立し所定位置に長穴１７ｃが設けられた接続片１７ｂと、を有するＬ字状の部材によって構成されている。固定片１７ａを２本の増設梁Ａに於けるウエブ１ｃ、２ｃの対向する位置に夫々ボルト１５ａ、ナット１５ｂによって固定すると共に互いの接続片１７ｂを重ね合わせ、該接続片１７ｂに設けられた長穴１７ｃにボルト１５ａを挿通してナット１５ｂを締結することで、連結することが可能である。
【００８７】
２本の増設梁Ａを連結する横座屈防止部材１７の数は限定するものではなく、増設梁Ａの断面性能や該増設梁Ａに作用する曲げ応力の大きさ、増設梁Ａの長さ等の条件に応じて適宜数に設定することが好ましい。また横座屈防止部材１７の形状も本実施例に限定するものではなく、例えば、梁構成部材と同様な溝形鋼や山形鋼或いは鋼管を利用して構成しても良いことは当然である。
【実施例４】
【００８８】
次に、ＡＬＣパネルからなる既存建物の床に開口部を設けて床下の点検を行ったり、床下収納を構成するような場合の、該開口部を設けた床パネルの補強方法について図を用いて説明する。図７は床に形成した開口部を利用して増設梁を床下に搬入する際の手順を説明する図である。図８は床開口部まわりの床パネルを補強する増設梁及び部材の展開説明図である。図９は床パネルを補強する構造を説明する図である。
【００８９】
ＡＬＣパネルからなる床パネル６はＨ形鋼からなる既存梁３とコンクリート製の基礎梁２２との間に敷設されており、基礎梁２２には床下換気口２３（図８参照）が構成されている。
【００９０】
床に形成すべき開口部２１の周囲に配置されている床仕上材や壁面を養生し、該床仕上材の上面に形成すべき開口部に対応させたけがき線を描く。その後、電動ソー等をけがき線に沿って移動させることで、床仕上材、床パネル６を切断して、図７に示すように、床下空間２４に貫通する開口部２１を形成する。
【００９１】
予め縮小した増設梁Ａを開口部２１を介して床下空間２４に挿入する。このため、最短に縮小したときの増設梁Ａの長さ及び開口部２１の寸法は、床下空間２４の高さ寸法等の条件に応じて設定される。従って、開口部２１の大きさを小さくしたいような場合には、増設梁Ａの縮小長さを短くすることが必要となる。
【００９２】
特に、開口部２１の大きさと床下空間２４の高さとの関係によっては、増設梁Ｂを利用することが好ましいこともある。
【００９３】
床下空間２４に作業員が入り込み、床パネル６の上側から挿入される所定数（２本）の増設梁Ａを受け取り、更に、必要な部材（図８に示す、支持部材２５、繋ぎ材２６、フレーム２７、ライナー１６等）を受け取って床下空間２４に収容する。
【００９４】
支持部材２５は、基礎梁２２に形成された床下換気口２３に増設梁Ａがかかるような場合に利用するものであり、図８に示すように、断面がコ字状に形成され、両端が基礎梁２２の上面２２ａに係止されると共に載置面２５ａが基礎梁２２の上面２２ａと同一面になるように構成されている。そして支持部材２５を床下換気口２３に取り付けておくことで、該床下換気口２３の存在に関わらず、載置面２５ａを基礎梁２２の上面２２ａと同一面として連続させることが可能である。
【００９５】
繋ぎ材２６は２本の増設梁Ａのウエブ１ｃ、２ｃを繋いでこれらの増設梁Ａに外力が作用した場合でも間隔を一定に保持する機能を有するものであり、予め開口部２１の寸法に対応して設定された長さを有する本体片２６ａと、該本体片２６ａの両端部に形成され対向するウエブ１ｃ、２ｃに取り付けられる固定片２６ｂと、固定片２６ｂに設けたボルト穴２６ｃとを有して構成されている。
【００９６】
フレーム２７は床に構成された開口部２１の端縁に沿って配置され、床パネル６の下面６ａと接触して支持すると共に開口部２１の周囲に配置される図示しない開口枠を支持機能を有するものであり、予め開口部２１の寸法よりも大きい寸法を持った四角枠状に構成された支持片２７ａと、増設梁Ａのウエブ１ｃ、２ｃに取り付けられる固定片２７ｂと、を有して構成されている。
【００９７】
尚、２８はフレーム２７の支持片２７ａの上面に載置される保護部材である。
【００９８】
先ず、床下空間２４に入り込んだ作業員は、電気ドリル等を利用して床パネル６の下面６ａであって開口部２１の端縁の延長線上にある既存梁３の上フランジ３ａに対向する部位に欠き込み部を構成する。
【００９９】
次いで、開口部２１の端縁に沿って夫々増設梁Ａを配置し、両端に設けた係止部４の係止片４ａを欠き込み部６ｂに差し込んで梁構成部材１、２を既存梁３の上フランジ３ａ、基礎梁２２の上面２２ａ、支持部材２５の載置面２５ａに夫々係止する。この状態で梁構成部材１、２のウエブ１ｃ、２ｃに設けたボルト穴５を利用して互いに仮固定する。
【０１００】
２本の増設梁Ａを仮固定した状態で、梁構成部材２の上フランジ２ａの上面にライナー１６を配置し、開口部２１に対応する位置にフレーム２７を配置する。そして２本の増設梁Ａの既存梁３、基礎梁２２の近傍に夫々繋ぎ部材２６を配置してウエブ１ｃ、２ｃに固定する。このとき、増設梁Ａの開口部２１に対する位置を調節する。同様にしてフレーム２７の位置を開口部２１に対応させて調節し、個々の増設梁Ａを構成する梁構成部材１、２を互いに強固に固定し、同時にライナー１６、フレーム２７を各増設梁２７に固定する。
【０１０１】
上記の如くして床パネル６に構成した開口部２１を２本の増設梁Ａと、フレーム２７とによって補強することが可能である。尚、本実施例では、フレーム２７によって横座屈防止部材としての機能を発揮することが可能である。
【実施例５】
【０１０２】
次に、天井裏空間を利用して上階のＡＬＣパネルからなる床パネルを補強する際の方法について図を用いて説明する。図１０は天井に開口部を形成して天井裏空間に増設梁を搬入して床を補強する際の手順を説明する図である。
【０１０３】
図に示すように、天井３０に開口部３１を構成する。この開口部３１の寸法は、増設梁Ａを挿入し、且つ作業員が脚立や足場を利用して上半身を天井裏空間に乗り出して増設梁Ａを設置する作業を実施し得る程度の大きさであることが必要である。また、開口部の位置は作業員が上半身を乗り入れて既存梁に手が届く位置であることが必要である。床パネルの全長（既存梁のスパン）を約１．８ｍとすると、開口部は中央に１箇所設けることで充分に作業が可能である。
【０１０４】
先ず、天井３０に形成された開口部３１から上半身を乗り入れ、床パネル６の下面６ａであって既存梁３の上フランジ３ａに対応する部位に電気ドリル等を利用して欠き込み部６ｂを形成する。開口部３１から増設梁Ａを天井裏空間３２に挿入し、該増設梁Ａを構成する梁構成部材１、２に設けた係止部４の係止片４ａを欠き込み部６ｂに挿入して既存梁３の上フランジ３ａに係止する。その後、各梁構成部材１、２のウエブ１ｃ、２ｃに設けたボルト穴５にボルト１５ａを挿通すると共にナット１５ｂを締結して結合し一体化することで、増設梁Ａによって床パネル６を補強することが可能である。
【０１０５】
尚、上記各実施例では、床パネル６の下面６ａに於ける既存梁３の上フランジ３ａと対向する部位に欠き込み部６ｂを形成して係止部４の係止片４ａを挿入することで、該係止片４ａを上フランジ３ａに係止し得るように構成している。この床パネル６に形成された欠き込み部６ｂは、そのまま残っていても床の強度、剛性に大きな影響を与えることがないため、特別な後処理を行うことは不要である。しかし、モルタル等を充填して欠き込み部６ｂを塞いでも全く問題ないことは当然である。
【産業上の利用可能性】
【０１０６】
本発明の増設梁、この増設梁を用いた補強構造は、床がＡＬＣパネルやＰＣパネル、コンクリートスラブ、木材等の材料を用いて構成したものに好ましく利用することが可能である。
【図面の簡単な説明】
【０１０７】
【図１】第１実施例に係る増設梁の構成を説明する図である。
【図２】増設梁の他の実施例を説明する図である。
【図３】増設梁の更に他の実施例を説明する図である。
【図４】床パネルに欠き込み部を形成して増設梁を架け渡す手順を模式的に説明する図である。
【図５】床パネルを補強する補強構造について説明する正面図である。
【図６】図５の側面図である。
【図７】床に形成した開口部を利用して増設梁を床下に搬入する際の手順を説明する図である。
【図８】床開口部を補強する増設梁及び部材の展開説明図である。
【図９】床開口部を補強する構造を説明する図である。
【図１０】天井に開口を形成して天井裏空間に増設梁を搬入して床を補強する際の手順を説明する図である。
【符号の説明】
【０１０８】
Ａ、Ｂ                    増設梁
１、２                    梁構成部材
１ａ、２ａ                上フランジ
１ｂ、２ｂ                下フランジ
１ｃ、２ｃ                ウエブ
１ｄ、２ｄ                軸
３                        既存梁
３ａ                      上フランジ
３ｂ                      ウエブ
４                        係止部
４ａ                      係止片
４ｂ                      固定片
４ｃ                      面
５                        ボルト穴
６                        床パネル
６ａ                      下面
６ｂ                      欠き込み部
８〜１０                  梁構成部材
８ａ〜１０ａ              上フランジ
８ｂ〜１０ｂ              下フランジ
８ｃ〜１０ｃ              ウエブ
１１ａ〜１１ｃ            梁構成部材
１３                      電気ドリル
１３ａ                    きり
１５ａ                    ボルト
１５ｂ                    ナット
１６                      ライナープレート
１６ａ                    ライナー片
１６ｂ                    固定片
１７                      横座屈防止部材
１７ａ                    固定片
１７ｂ                    接続片
１７ｃ                    長穴
２１                      開口部
２２                      基礎梁
２２ａ                    上面
２３                      床下換気口
２４                      床下空間
２５                      支持部材
２６                      繋ぎ材
２７                      フレーム
２５ａ                    載置面
２６ａ                    本体片
２６ｂ                    固定片
２６ｃ                    ボルト穴
２７ａ                    支持片
２７ｂ                    固定片
２８                      保護部材
３０                      天井
３１                      開口部
３２                      天井裏空間
【図１】
0004711816.tif 000002
【図２】
0004711816.tif 000003
【図３】
0004711816.tif 000004
【図４】
0004711816.tif 000005
【図５】
0004711816.tif 000006
【図６】
0004711816.tif 000007
【図７】
0004711816.tif 000008
【図８】
0004711816.tif 000009
【図９】
0004711816.tif 000010
【図１０】
0004711816.tif 000011